(57)【要約】【課題】伸縮性が極めて高く、装着した状態でスポーツをしたり家事を行ったりするのに好適な腰ベルトを提供する。【解決手段】腰ベルト１は、長尺な帯状のベルト本体２と、そのベルト本体２を丸めた状態で保持するための面ファスナー３とによって構成されている。そして、ベルト本体２は、約５．０倍に発泡させた発泡クロロプレンゴムからなるコア部材５の表層に、ナイロン繊維とポリウレタン弾性繊維とを混繊させて平編みし表面に起毛処理を施した織布からなる表層部材４を、クロロプレンゴム系のバインダーによって貼り合わせることによって形成されている。【選択図】図１
2010075283.tif 000002
【特許請求の範囲】
【請求項１】
帯状のベルト本体とそのベルト本体を丸めた状態で保持するための係着部材とからなる腰ベルトであって、
前記ベルト本体が、発泡クロロプレンゴムの表面に、ナイロン繊維とポリウレタン弾性繊維とからなる織布を貼り合わせたものであることを特徴とする腰ベルト。
【請求項２】
前記ベルト本体に、多数の通気孔が散点状に穿設されていることを特徴とする請求項１に記載の腰ベルト。
【請求項３】
前記係着部材が、先端をフック状に形成した多数の突起体を植設した面ファスナーからなるものであるとともに、前記織布の表面が、起毛処理されていることを特徴とする請求項１、または請求項２に記載の腰ベルト。
【発明の詳細な説明】
【技術分野】
【０００１】
本発明は、腰痛の予防、治療等の目的で腰部に捲回させて着用する腰ベルトに関するものである。
【背景技術】
【０００２】
腰痛を予防したり治療したりするための方法として、腰部の外周にその動きを制限するための長尺な帯状の腰ベルトを巻き付ける方法が知られている。かかる腰ベルトとしては、従来は、もっぱら伸縮性を有さないものが用いられていたが、近年では、特許文献１の如く、長尺なゴムシートを利用した伸縮性を有するものも開発されている。
【０００３】
【特許文献１】実開平０５−２４０１７号公報
【発明の開示】
【発明が解決しようとする課題】
【０００４】
しかしながら、天然ゴムや合成ゴムからなるゴムシートを利用した従来の腰ベルトは、いずれも、ベルト本体の伸縮性が不十分であり、きつく締め付けた場合には腰部を完全に固定することが可能であるものの、腰痛予防のために装着した状態でスポーツをしたり家事を行ったりするには不向きであった。
【０００５】
本発明の目的は、上記従来の腰ベルトが有する問題点を解消し、伸縮性がきわめて高く、装着した状態でスポーツをしたり家事を行ったりするのに好適な腰ベルトを提供することにある。
【課題を解決するための手段】
【０００６】
本発明の内、請求項１に記載された発明は、帯状のベルト本体とそのベルト本体を丸めた状態で保持するための係着部材とからなる腰ベルトであって、前記ベルト本体が、発泡クロロプレンゴムの表面に、ナイロン繊維とポリウレタン弾性繊維とからなる織布を貼り合わせたものであることを特徴とするものである。
【０００７】
請求項２に記載された発明は、請求項１に記載された発明において、前記ベルト本体に、多数の通気孔が散点状に穿設されていることを特徴とするものである。
【０００８】
請求項３に記載された発明は、請求項１、または請求項２に記載された発明において、前記係着部材が、先端をフック状に形成した多数の突起体を植設した面ファスナーからなるものであるとともに、前記織布の表面が、起毛処理されていることを特徴とするものである。
【発明の効果】
【０００９】
請求項１に記載された腰ベルトは、ナイロン繊維とポリウレタン弾性繊維とからなる織布を発泡クロロプレンゴムの表面に貼り合わせることによってベルト本体が形成されているため、面内のどの方向に対しても伸縮性がきわめて高く、装着した状態でスポーツをしたり家事を行ったりするのに好適であり、高いフィット感を提供することができる。
【００１０】
請求項２に記載された腰ベルトは、ベルト本体に多数の通気孔が穿設されているため、装着した状態でスポーツや家事をする場合の通気性がきわめて良好である。加えて、製造時には、穿設する通気孔の大きさを変化させることによって、伸縮性を容易に調整することが可能である。
【００１１】
請求項３に記載された腰ベルトは、係着部材が面ファスナーによって構成されているとともに、織布の表面が起毛処理されているため、腰部の周りに捲回させた状態で保持する際における織布に対する係着部材の係着力が高く、位置ずれを起こしにくい。また、長期間使用した場合でも、織布に対する係着部材の係着力が低下しない。
【発明を実施するための最良の形態】
【００１２】
以下、本発明の腰ベルトの一実施形態について、図面に基づいて詳細に説明する。
【００１３】
［腰ベルトの構成］
図１は、腰ベルトの表面および裏面を示したものである。腰ベルト１は、帯状のベルト本体２と、そのベルト本体２を丸めた状態で保持するための係着部材として機能する面ファスナー３とによって構成されている。
【００１４】
ベルト本体２は、約１７０ｍｍの幅で約１，０００ｍｍの長さを有する長尺な帯状に形成されている。また、図２は、ベルト本体２の断面を示したものであり、ベルト本体２は、コア部材５の表層に表層部材４を貼り合わせた二層構造を有している。コア部材５は、約５．０倍に発泡させた発泡クロロプレンゴムによって形成されており、約４．０ｍｍの厚みを有している。一方、表層部材４は、ナイロン繊維とポリウレタン弾性繊維とを混繊させて平編みし、表面に起毛処理を施すことによって形成されており、約０．５ｍｍの厚みを有している。また、表層部材４におけるナイロン繊維とポリウレタン弾性繊維との混合比（重量比）は、約９５：５に調整されている。当該表層部材４は、クロロプレンゴム系の樹脂からなるバインダーによって、コア部材５の表面に接着されている。
【００１５】
また、ベルト本体２の四隅は、Ｒ状に面取りされた状態になっており、左右および上下の外周に、ナイロンによって形成された一定幅のテーピング生地８が縫い付けられており、ベルト本体２の外周縁際を覆った状態になっている。さらに、ベルト本体２の裏側の略中央には、使い捨てカイロ等を入れておくためのポケット６が形成されている。当該ポケット６は、ポリエステル繊維からなる厚さ約０．５ｍｍの長方形状の織布によって形成されており、下縁が上記したテーピング生地８とともにコア部材５の裏面に縫い付けられており、側縁は、左右に配置された帯状のストリップとともに、コア部材５の裏面に縫い付けられている。
【００１６】
一方、ベルト本体２の右端縁の裏面には、係着部材として機能する面ファスナー３が固着されている。当該面ファスナー３は、先端をフック状に形成した多数の突起体を織布に植設したものであり、コア部材５を内側にするようにベルト本体２を丸めた際に、表層部材４に対して剥離自在に係着させることができるようになっている。なお、このような面ファスナーとしては、たとえば、クラレ社製マジックテープ（登録商標）等を好適に用いることができる。当該面ファスナー３は、表層部材４、コア部材５と同一の幅を有しており、約１００ｍｍの長さを有している。そして、上下左右の周縁際が、コア部材５の裏面に縫い付けられた状態になっている。加えて、ベルト本体２の左右には、直径約４．０ｍｍの円形の通気孔が、３０個ずつ、上下５列の千鳥格子状に規則正しく穿設されている。
【００１７】
［腰ベルトの作用・効果］
上記の如く構成された腰ベルト１は、裏面中央のポケット６を腰骨の上側辺りに位置させるようにして腰部の周囲に捲回させ、面ファスナー３を表層部材４に係着（当着）させることによって装着する。そのように腰部に装着された腰ベルト１は、表層部材４、コア部材５とも高い伸縮性を有しているため、腰部が捻られた場合でも、その動きに柔軟に追随して伸縮する。
【００１８】
腰ベルト１は、上記の如く、ナイロン繊維とポリウレタン弾性繊維とからなる織布を発泡クロロプレンゴムの表面に貼り合わせることによってベルト本体２が形成されているため、面内のどの方向に対しても伸縮性がきわめて高く、装着した状態でスポーツをしたり家事を行ったりするのに好適であり、高いフィット感を提供することができる。
【００１９】
また、腰ベルト１は、多数の通気孔７，７・・が散点状に穿設されているため、装着した状態でスポーツや家事をする場合の通気性がきわめて良好である。加えて、製造時には、穿設する通気孔７，７・・の大きさを変化させることによって、伸縮性を容易に調整することが可能である。
【００２０】
さらに、腰ベルト１は、面ファスナー３によって係着部材が構成されているとともに、表層部材４の表面が起毛処理されているため、腰部の周りに捲回させた状態で保持する際における表層部材４に対する係着部材の係着力が高く、位置ずれを起こしにくい。また、長期間使用した場合でも、表層部材４に対する係着部材の係着力が低下しない。
【００２１】
［腰ベルトの変更例］
なお、本発明に係る腰ベルトの構成は、上記実施形態の態様に何ら限定されるものではなく、ベルト本体や係着部材等の素材、形状、構造等の構成を、本発明の趣旨を逸脱しない範囲内で、必要に応じて適宜変更することができる。
【００２２】
たとえば、コア部材は、上記実施形態の如く、クロロプレンゴムを約５．０倍に発泡させたものに限定されず、クロロプレンゴムの発泡倍率を、３．０倍以上７．０倍以下の範囲内で必要に応じて適宜変更することができる。また、ベルト本体は、上記実施形態の如く、ゴム系のバインダーによってコア部材の表面に表層部材を接着したものに限定されず、バインダーの材質を、必要に応じて適宜変更することができる。なお、ゴム系のバインダーを使用した場合には、ベルト本体が大変形を繰り返した場合でも、表層部材がコア部材の表面から剥がれにくい、というメリットがある。
【００２３】
さらに、係着部材は、上記実施形態の如く、面ファスナーによって構成されたものに限定されず、ベルト本体の片端縁に固着されたボタンとベルト本体の他端縁に穿設されたスリットとによって構成されたもの等に変更することも可能である。加えて、表層部材は、上記実施形態の如く、ナイロン繊維とポリウレタン弾性繊維との混合比（重量比）を９５：５に調整したものに限定されず、ナイロン繊維とポリウレタン弾性繊維との混合比を７０：３０〜９８：２の範囲内で必要に応じて適宜変更することができる。なお、ナイロン繊維とポリウレタン弾性繊維との混合比を上記７０：３０〜９８：２の範囲内に調整した場合には、上記実施形態の場合と同様に、コア部材とともにきわめて高い伸縮性を発現させることが可能となる。
【図面の簡単な説明】
【００２４】
【図１】腰ベルトを示す説明図である（ａは正面図であり、ｂは背面図である）。
【図２】ベルト本体の断面の様子を示す説明図である。
【符号の説明】
【００２５】
１・・腰ベルト
２・・ベルト本体
３・・面ファスナー（係着部材）
７・・通気孔
【図１】
2010075283.tif 000003
【図２】
2010075283.tif 000004